(57)【要約】  【課題】チャンネルのプリセット情報を使用環境に合わせて更新しつつその際の利便性の向上を図ること。  【解決手段】オートプリセット処理でテレビジョン放送信号を受信可能なチャンネルの情報をプリセット情報としてメモリに記憶するテレビジョン受像機において、電源オフ状態のときに所定時間毎に、予め記憶されたチャンネルの周波数を自動的にチューナにより順次選局して、テレビジョン放送信号を受信可能なチャンネルの情報を新プリセット情報として取得し、該新プリセット情報と既に記憶した旧プリセット情報とを照合して、その差をプリセット更新情報として記憶するプリセット更新１次処理を実行し、電源オン状態になったときに、プリセット更新情報をＣＲＴに表示して、該情報中の各チャンネルの追加または抹消をするか否かを選択可能とし、該選択結果に基づいて旧プリセット情報を更新するプリセット更新２次処理を実行する。【選択図】  図２
2007043408.tif 000002
【特許請求の範囲】
【請求項１】
テレビジョン放送電波から所定のチャンネルの周波数を選局するチューナと、メモリに予め記憶されたチャンネルの周波数を自動的にチューナにより順次選局して、放送局から送信されたテレビジョン放送信号を受信可能なチャンネルの情報をプリセット情報としてメモリに記憶するマイクロコンピュータとを備えたテレビジョン受像機において、
前記マイクロコンピュータは、
電源オフ状態のときに所定時間毎に、前記予め記憶されたチャンネルの周波数を自動的に前記チューナにより順次選局して、テレビジョン放送信号を受信可能なチャンネルの情報を新プリセット情報として取得し、該新プリセット情報と既にメモリに記憶した旧プリセット情報とを照合して、その差をプリセット更新情報としてメモリに記憶するプリセット更新１次処理を実行し、
電源オン状態になったときに、未処理の前記プリセット更新情報が有れば、該プリセット更新情報と該情報中の各チャンネルの受信映像とをディスプレイに表示して、各チャンネルの追加または抹消をするか否かを選択可能とし、該選択結果に基づいて前記旧プリセット情報を更新するプリセット更新２次処理を実行し、
前記プリセット更新１次処理の自動実行間隔を、車載時か否かの判別結果、前の実行時の前記新旧プリセット情報の差の大きさ、または前の実行時の各チャンネルの周波数の受信強度レベルがテレビジョン放送信号を受信間近のレベルに該当している数の多さの少なくとも１つに基づいて可変することを特徴とするテレビジョン受像機。
【請求項２】
テレビジョン放送電波から所定のチャンネルの周波数を選局する第１チューナおよび第２チューナと、メモリに予め記憶されたチャンネルの周波数を自動的に一方のチューナにより順次選局して、放送局から送信されたテレビジョン放送信号を受信可能なチャンネルの情報をプリセット情報としてメモリに記憶するマイクロコンピュータとを備えたテレビジョン受像機において、
前記マイクロコンピュータは、
視聴するチャンネルが指示されたときに、前記プリセット情報に基づいて該チャンネルの周波数を前記第１チューナにより選局し、
所定時間毎にまたは前記第１チューナによる選局中にテレビジョン放送信号を受信不可能なチャンネルを検出したときに、前記予め記憶されたチャンネルの周波数を自動的に前記第２チューナにより順次選局して、テレビジョン放送信号を受信可能なチャンネルの情報を新プリセット情報として取得し、該新プリセット情報と既にメモリに記憶した旧プリセット情報とを照合して、その差をプリセット更新情報としてメモリに記憶するプリセット更新１次処理を実行し、
前記プリセット更新１次処理後に、未処理の前記1プリセット更新情報が有れば、電源オン状態の場合は、プリセット情報を更新するか否かを問い合わせる画像をディスプレイに表示して、更新すると指示されたときに、または電源オフ状態の場合は、次に電源オン状態になったときに、未処理のプリセット更新情報と該情報中の各チャンネルの受信映像とをディスプレイに表示して、各チャンネルの追加または抹消をするか否かを選択可能とし、該選択結果に基づいて前記旧プリセット情報を更新するプリセット更新２次処理を実行することを特徴とするテレビジョン受像機。
【請求項３】
テレビジョン放送電波から所定のチャンネルの周波数を選局する選局手段と、記憶手段に予め記憶されたチャンネルの周波数を自動的に選局手段により順次選局して、放送局から送信されたテレビジョン放送信号を受信可能なチャンネルの情報をプリセット情報として記憶手段に記憶する制御手段とを備えた映像機器において、
前記制御手段は、
電源オフ状態のときに所定時間毎に、前記予め記憶されたチャンネルの周波数を自動的に前記選局手段により順次選局して、テレビジョン放送信号を受信可能なチャンネルの情報を新プリセット情報として取得し、該新プリセット情報と既に記憶手段に記憶した旧プリセット情報とを照合して、その差をプリセット更新情報として記憶手段に記憶するプリセット更新１次処理を実行し、
電源オン状態になったときに、前記プリセット更新情報を表示手段に表示して、該情報中の各チャンネルの追加または抹消をするか否かを選択可能とし、該選択結果に基づいて前記旧プリセット情報を更新するプリセット更新２次処理を実行することを特徴とする映像機器。
【請求項４】
請求項３に記載の映像機器において、
前記制御手段は、前記プリセット更新１次処理の自動実行間隔を、該映像機器が車に搭載されている場合は短くし、搭載されていない場合は長くするように可変することを特徴とする映像機器。
【請求項５】
請求項３に記載の映像機器において、
前記制御手段は、前記プリセット更新１次処理の自動実行間隔を、前の実行時の前記新旧プリセット情報の差が大きい場合は短くし、差が小さい場合または差が無い場合は長くするように可変することを特徴とする映像機器。
【請求項６】
請求項３に記載の映像機器において、
前記制御手段は、前記プリセット更新１次処理の自動実行間隔を、前の実行時の各チャンネルの周波数の受信強度レベルがテレビジョン放送信号を受信間近のレベルに該当している数が、多い場合は短くし、少ない場合は長くするように可変することを特徴とする映像機器。
【請求項７】
テレビジョン放送電波から所定のチャンネルの周波数を選局する複数の選局手段と、記憶手段に予め記憶されたチャンネルの周波数を自動的に選局手段により順次選局して、放送局から送信されたテレビジョン放送信号を受信可能なチャンネルの情報をプリセット情報として記憶手段に記憶する制御手段とを備えた映像機器において、
前記制御手段は、
視聴するチャンネルが指示されたときに、前記プリセット情報に基づいて該チャンネルの周波数を一方の前記選局手段により選局し、
所定時間毎に、前記予め記憶されたチャンネルの周波数を自動的に他方の前記選局手段により順次選局して、テレビジョン放送信号を受信可能なチャンネルの情報を新プリセット情報として取得し、該新プリセット情報と既に記憶手段に記憶した旧プリセット情報とを照合して、その差をプリセット更新情報として記憶手段に記憶するプリセット更新１次処理を実行し、
前記プリセット更新１次処理後に、前記プリセット更新情報を表示手段に表示して、該情報中の各チャンネルの追加または抹消をするか否かを選択可能とし、該選択結果に基づいて前記旧プリセット情報を更新するプリセット更新２次処理を実行することを特徴とする映像機器。
【請求項８】
請求項７に記載の映像機器において、
前記制御手段は、一方の前記選局手段による前記視聴チャンネルの周波数の選局中に、テレビジョン放送信号を受信不可能なチャンネルを検出すると、他方の前記選局手段により前記プリセット更新１次処理を実行することを特徴とする映像機器。
【請求項９】
請求項７または請求項８に記載の映像機器において、
前記制御手段は、前記プリセット更新１次処理後に、電源オン状態の場合は、プリセット情報を更新するか否かを問い合わせる表示を表示手段に表示して、更新すると指示されたときに、または電源オフ状態の場合は、次に電源オン状態になったときに、前記プリセット更新情報を表示手段に表示して、該情報中の各チャンネルの追加または抹消をするか否かを選択可能にすることを特徴とする映像機器。
【請求項１０】
請求項３ないし請求項９のいずれかに記載の映像機器において、
前記制御手段は、前記プリセット更新２次処理で、前記プリセット更新情報とともに該情報中の各チャンネルの受信映像を表示することを特徴とする映像機器。
【発明の詳細な説明】
【技術分野】
【０００１】
本発明は、一旦プリセットしたチャンネルのプリセット情報を更新するテレビジョン受像機および映像機器に関するものである。
【背景技術】
【０００２】
従来、例えばテレビジョン受像機等の映像機器には、メモリに予め記憶されたチャンネルの周波数を自動的にチューナにより順次選局して、放送局から送信されたテレビジョン放送信号を受信可能なチャンネルの情報をプリセット情報としてメモリに記憶するものがある。このようなチャンネルのオートプリセットは、通常、映像機器を購入した後の所定の場所への設置直後に、キー操作で開始指示を入力することにより行われ、使用環境に合ったチャンネル、即ちその場で映像および音声を視聴可能なチャンネルが映像機器に設定される。
【０００３】
しかしながら、その後、放送局の業務停止や新設、放送局に割り当てられたチャンネルおよび周波数の変更、引越しや車に搭載したことによる映像機器の移動等の事情により、新たなチャンネル（つまり放送局のこと）が受信可能になったり、今まで受信可能であったチャンネルが受信不可能になったりすることがある。これらの受信状態の変化に対応するには、オートプリセットを再度行えばよいが、それにはキー操作等の手間がかかり、終了まで待たなければ映像等を視聴できず、煩雑で不便である。特に、車載時では、移動にともなってチャンネルの受信状態が変化するため、その都度オートプリセットを行う必要があり、非常に手間がかかる。また、アメリカ等のように受信候補のチャンネル数（つまり放送帯域に割り当てられたチャンネル数のことで、アメリカでは１２５）が多い国等では、オートプリセットの終了までの待ち時間が非常に長くなる。さらに、現在の日本等のように地上波アナログ放送からデジタル放送への変遷期を迎えた国等では、チャンネル数の増加等に伴って放送局に割り当てたチャンネルおよび周波数が変更されるため、その都度オートプリセットを行う必要があり、非常に手間がかかる。
【０００４】
上記に対して、例えば下記の特許文献１では、テレビジョン受像機等の電子機器の選局装置において、電源がオンされる度に、所定時間内に自動的に最低チャンネルから最高チャンネルまで順次選局し、放送有りと判断すると、チャンネルの分周比データを記憶素子に記憶している。
【０００５】
また、下記の特許文献２では、テレビジョン受像機において、電源がオンされた後、自動検出モードが設定されていると、またはキー操作によりプリセットチャンネルの追加が選択されると、特定チャンネルの追加モード、即ち設定されていない空きチャンネルのサーチを実行し、空きチャンネルに新しいテレビジョン放送信号を検出すると、画面に該チャンネルの映像、番号、および登録名を表示して、プリセット（つまりメモリに記憶）するか否かとプリセットする場合の登録情報の選択を可能にし、該選択結果に基づいてチャンネル番号および登録名の記憶を行っている。また、キー操作によりオートプリセットが選択されると、自動的に最低チャンネルから最高チャンネルまで順次選局し、テレビジョン放送信号有りと判断すると、このとき選局中のチャンネルが既にメモリに記憶されているチャンネルでなければ、上記追加モードと同様に、画面にそのチャンネルの映像や情報等の表示、プリセットの選択可能化、および選択結果に基づくチャンネル情報の記憶を行っている。
【特許文献１】特公平１−３６２８５号公報
【特許文献２】特開平１１−１４５７８３号公報
【発明の開示】
【発明が解決しようとする課題】
【０００６】
上述した特許文献１のように、電源がオンされる度に自動的にオートプリセットを実行すると、既に記憶されたプリセット情報（つまり受信可能放送局情報のこと）に対して、新たに受信可能になったチャンネルが追加されかつ受信不可能になったチャンネルが抹消され、面倒なプリセット調整（つまりキー操作等のこと）が不要になる。しかし、ユーザは電源をオンした後、全てのチャンネルについてのプリセットが終了するまで所望のチャンネルの映像および音声を視聴することができないので、視聴可能になるまでに時間がかかり不便である。加えて、チャンネルの追加と抹消をユーザが自由に選択できないので不便である。
【０００７】
また、上述した特許文献２のように、特定チャンネルの追加モードまたはオートプリセットにおいて、新しくテレビジョン放送信号を検出したチャンネルについてのみ、映像や情報の表示、プリセットの選択可能化、および選択結果に基づくチャンネル情報の記憶を行うと、新たに受信可能になったチャンネルが検出されて、既に記憶されたプリセット情報に追加するか否かをユーザが自由に選択でき、終了までにかかる時間が若干短縮される。しかし、チャンネル毎に個別に追加の選択をしないといけないので、その分手間と時間がかかり不便である。また、受信不可能になったチャンネルが検出されず抹消できないので不便である。
【０００８】
本発明は、以上の問題点を解決するものであって、その課題とするところは、映像機器およびテレビジョン受像機において、チャンネルのプリセット情報を使用環境に合わせて更新しつつその際の利便性の向上を図ることにある。
【課題を解決するための手段】
【０００９】
本発明では、テレビジョン放送電波から所定のチャンネルの周波数を選局する選局手段と、記憶手段に予め記憶されたチャンネルの周波数を自動的に選局手段により順次選局して、放送局から送信されたテレビジョン放送信号を受信可能なチャンネルの情報をプリセット情報として記憶手段に記憶する制御手段とを備えた映像機器において、制御手段は、電源オフ状態のときに所定時間毎に、前記予め記憶されたチャンネルの周波数を自動的に選局手段により順次選局して、テレビジョン放送信号を受信可能なチャンネルの情報を新プリセット情報として取得し、該新プリセット情報と既に記憶手段に記憶した旧プリセット情報とを照合して、その差をプリセット更新情報として記憶手段に記憶するプリセット更新１次処理を実行し、電源オン状態になったときに、プリセット更新情報を表示手段に表示して、該情報中の各チャンネルの追加または抹消をするか否かを選択可能とし、該選択結果に基づいて旧プリセット情報を更新するプリセット更新２次処理を実行する。
【００１０】
このように、映像機器が電源オフ状態のとき、即ちユーザが映像機器を使用していないときに、所定時間毎にプリセット更新１次処理を自動的に実行して、プリセット更新情報、即ち新たに受信可能になったチャンネルと受信不可能になったチャンネルの情報を取得することで、ユーザは、プリセット更新情報の取得のために、映像機器の傍で特別に待機してキー操作する必要がなくなり、何ら手間がかからなくなる。また、その後映像機器が電源オン状態になったときに、プリセット更新２次処理を実行して、プリセット更新情報を表示手段に表示するとともに、該情報中の各チャンネルの追加または抹消を選択可能とし、ここでの選択結果に基づいて旧プリセット情報を更新することで、ユーザは、受信状態が変化したチャンネルが複数あっても、該チャンネルを一度に把握して、追加または抹消を自由に選択することができ、プリセット情報の更新終了までの時間、即ち所望のチャンネルの映像等を視聴可能になるまでの時間が短縮される。よって、映像機器において、一旦記憶したチャンネルのプリセット情報を使用環境に合わせて更新することができ、かつその際に、ユーザの手間を軽減し、全チャンネルの受信確認を行う上でユーザの待ち時間を短縮し、チャンネルの追加・抹消をユーザにより自由に選択可能にして、利便性の向上を図ることができる。
【００１１】
また、上記発明の一実施形態では、制御手段は、プリセット更新１次処理の自動実行間隔を、該映像機器が車に搭載されている場合は短くし、搭載されていない場合は長くするように可変する。
【００１２】
映像機器が車載されている場合は、車とともに移動させられることによりチャンネルの受信状態が変化し易いため、上記のようにプリセット更新１次処理の自動実行間隔を短くすることで、受信状態の変化を見過ごし難くなり、周囲環境に合ったプリセット更新情報を取得することができる。また、映像機器が車載されていない場合は、住宅で据え置き状態等にあって車載されている場合よりチャンネルの受信状態が変化し難いため、上記のようにプリセット更新１次処理の自動実行間隔を長くすることで、受信状態が変化していないときにプリセット更新１次処理が無駄に実行されるのを抑止して、制御手段の処理負担を軽減することができる。
【００１３】
また、上記発明の一実施形態では、制御手段は、プリセット更新１次処理の自動実行間隔を、前の実行時の新旧プリセット情報の差が大きい場合は短くし、差が小さい場合または差が無い場合は長くするように可変する。
【００１４】
前の実行時の新旧プリセット情報の差が大きい場合は、チャンネルの受信状態がこれからも大きく変化していることが予想されるので、上記のようにプリセット更新１次処理の自動実行間隔を短くすることで、受信状態の変化を見過ごし難くなり、周囲環境に合ったプリセット更新情報を取得することができる。また、前の実行時の新旧プリセット情報の差が小さい場合または差が無い場合は、チャンネルの受信状態がこれからもあまりまたは全く変化しないことが予想されるので、上記のようにプリセット更新１次処理の自動実行間隔を長くすることで、受信状態があまりまたは全く変化していないときにプリセット更新１次処理が無駄に実行されるのを抑止して、制御手段の処理負担を軽減することができる。
【００１５】
また、上記発明の一実施形態では、制御手段は、プリセット更新１次処理の自動実行間隔を、前の実行時の各チャンネルの周波数の受信強度レベルがテレビジョン放送信号を受信間近のレベルに該当している数が、多い場合は短くし、少ない場合は長くするように可変する。
【００１６】
テレビジョン放送信号を受信間近の状態にあるチャンネル数が多い場合は、チャンネルの受信状態がこれから大きく変化することが予想されるので、上記のようにプリセット更新１次処理の自動実行間隔を短くすることで、受信状態の変化を見過ごし難くなり、周囲環境に合ったプリセット更新情報を取得することができる。また、テレビジョン放送信号を受信間近の状態にあるチャンネル数が少ない場合は、チャンネルの受信状態がこれからあまりまたは全く変化しないことが予想されるので、上記のようにプリセット更新１次処理の自動実行間隔を長くすることで、受信状態があまりまたは全く変化していないときにプリセット更新１次処理が無駄に実行されるのを抑止して、制御手段の処理負担を軽減することができる。
【００１７】
また、他の発明では、テレビジョン放送電波から所定のチャンネルの周波数を選局する複数の選局手段と、記憶手段に予め記憶されたチャンネルの周波数を自動的に選局手段により順次選局して、放送局から送信されたテレビジョン放送信号を受信可能なチャンネルの情報をプリセット情報として記憶手段に記憶する制御手段とを備えた映像機器において、制御手段は、視聴するチャンネルが指示されたときに、前記プリセット情報に基づいて該チャンネルの周波数を一方の選局手段により選局し、所定時間毎に、前記予め記憶されたチャンネルの周波数を自動的に他方の選局手段により順次選局して、テレビジョン放送信号を受信可能なチャンネルの情報を新プリセット情報として取得し、該新プリセット情報と既に記憶手段に記憶した旧プリセット情報とを照合して、その差をプリセット更新情報として記憶手段に記憶するプリセット更新１次処理を実行し、プリセット更新１次処理後に、プリセット更新情報を表示手段に表示して、該情報中の各チャンネルの追加または抹消をするか否かを選択可能とし、該選択結果に基づいて旧プリセット情報を更新するプリセット更新２次処理を実行する。
【００１８】
このように、複数の選局手段のうち、一方の選局手段を指示されたチャンネルの視聴用にし、他方の選局手段をプリセット更新１次処理用にすることで、ユーザが所望のチャンネルの映像等を視聴しているときに、所定時間毎にプリセット更新１次処理を自動的に実行して、プリセット更新情報を取得することができ、ユーザは、該情報の取得のために、映像機器の傍で特別に待機したり、映像等を視聴不可能な状態で待たされたり、キー操作をしたりする必要がなくなり、何ら手間がかからなくなる。また、プリセット更新１次処理後に、プリセット更新２次処理を実行して、プリセット更新情報を表示手段に表示するとともに、該情報中の各チャンネルの追加または抹消を選択可能とし、ここでの選択結果に基づいて旧プリセット情報を更新することで、ユーザは、受信状態が変化したチャンネルが複数あっても、該チャンネルを一度に把握して、追加または抹消を自由に選択することができ、プリセット情報の更新終了までの時間が短縮される。よって、映像機器において、一旦記憶したチャンネルのプリセット情報を使用環境に合わせて更新することができ、かつその際に利便性の向上を図ることができる。
【００１９】
また、上記他の発明の一実施形態では、制御手段は、一方の選局手段による前記視聴チャンネルの周波数の選局中に、テレビジョン放送信号を受信不可能なチャンネルを検出すると、他方の選局手段によりプリセット更新１次処理を実行する。
【００２０】
一方の選局手段による選局中に、テレビジョン放送信号を受信不可能なチャンネルが検出されたことより、チャンネルの受信状態が変化していることが予想されるので、上記のように検出を受けて他方の選局手段によりプリセット更新１次処理を実行することで、受信状態の変化を見過ごし難くなり、周囲環境に合ったプリセット更新情報を取得することができる。
【００２１】
また、上記他の発明の一実施形態では、制御手段は、プリセット更新１次処理後に、電源オン状態の場合は、プリセット情報を更新するか否かを問い合わせる表示を表示手段に表示して、更新すると指示されたときに、または電源オフ状態の場合は、次に電源オン状態になったときに、プリセット更新情報を表示手段に表示して、該情報中の各チャンネルの追加または抹消をするか否かを選択可能にする。
【００２２】
このようにすると、電源オン状態の場合、即ちユーザが所望のチャンネルの映像等を視聴しているときに、強制的にプリセット更新情報が表示手段に表示されて、該情報中の各チャンネルの追加または抹消を選択しなければならなくなるのを防いで、ユーザがプリセット情報の更新を直ぐに行うか否かを自由に選択することができる。
【００２３】
また、上述した発明の一実施形態では、制御手段は、プリセット更新２次処理で、プリセット更新情報とともに該情報中の各チャンネルの受信映像を表示する。
【００２４】
このようにすると、ユーザは、表示される受信映像を見ながら各チャンネルのプリセット情報に対する追加または抹消の要否を容易に判断可能となる。
【００２５】
さらに、本発明の典型的な実施形態では、テレビジョン放送電波から所定のチャンネルの周波数を選局するチューナと、メモリに予め記憶されたチャンネルの周波数を自動的にチューナにより順次選局して、放送局から送信されたテレビジョン放送信号を受信可能なチャンネルの情報をプリセット情報としてメモリに記憶するマイクロコンピュータとを備えたテレビジョン受像機において、マイクロコンピュータは、電源オフ状態のときに所定時間毎に、前記予め記憶されたチャンネルの周波数を自動的に前記チューナにより順次選局して、テレビジョン放送信号を受信可能なチャンネルの情報を新プリセット情報として取得し、該新プリセット情報と既にメモリに記憶した旧プリセット情報とを照合して、その差をプリセット更新情報としてメモリに記憶するプリセット更新１次処理を実行し、電源オン状態になったときに、未処理の前記プリセット更新情報が有れば、該プリセット更新情報と該情報中の各チャンネルの受信映像とをディスプレイに表示して、各チャンネルの追加または抹消をするか否かを選択可能とし、該選択結果に基づいて旧プリセット情報を更新するプリセット更新２次処理を実行し、プリセット更新１次処理の自動実行間隔を、車載時か否かの判別結果、前回実行時の新旧プリセット情報の差の大きさ、または前の実行時の各チャンネルの周波数の受信強度レベルがテレビジョン放送信号を受信間近のレベルに該当している数の多さの少なくとも１つに基づいて可変する。
【００２６】
このように、テレビジョン受像機が電源オフ状態のときに、所定時間毎にプリセット更新１次処理を自動的に実行して、プリセット更新情報を取得することで、ユーザは、該情報の取得のために、テレビジョン受像機の傍で特別に待機したり、映像等を視聴不可能な状態で待たされたり、キー操作をしたりする必要がなくなり、何ら手間がかからなくなる。また、その後テレビジョン受像機が電源オン状態になったときに、プリセット更新２次処理を実行して、そのプリセット更新情報と該情報中の各チャンネルの受信映像とをディスプレイに表示するとともに、各チャンネルの追加または抹消を選択可能とし、該選択結果に基づいて旧プリセット情報を更新することで、ユーザは、受信状態が変化したチャンネルを一度に把握して、受信映像より追加または抹消を自由かつ容易に選択することができ、プリセット情報の更新が終了して所望のチャンネルの映像等を視聴可能になるまでの時間が短縮される。また、テレビジョン受像機が電源オン状態になりかつ未だプリセット更新２次処理で扱っていない未処理のプリセット更新情報が有る場合にのみ、プリセット更新２次処理を実行するので、プリセット更新情報が変化していないのに、電源オン状態になる度にプリセット更新２次処理を無駄に実行するのを抑止して、マイクロコンピュータの処理負担を軽減することができる。さらに、プリセット更新１次処理の自動実行間隔を上記のように可変することで、チャンネルの受信状態の変化を見過ごし難くなり、周囲環境に合ったプリセット更新情報を取得することができ、受信状態が変化していないときにプリセット更新１次処理が無駄に実行されるのを抑止して、マイクロコンピュータの処理負担を一層軽減することができる。よって、テレビジョン受像機において、一旦記憶したチャンネルのプリセット情報を使用環境に合わせて更新することができ、かつその際に利便性の向上を図ることができる。
【００２７】
また、本発明の典型的な他の実施形態では、テレビジョン放送電波から所定のチャンネルの周波数を選局する第１チューナおよび第２チューナと、メモリに予め記憶されたチャンネルの周波数を自動的に一方のチューナにより順次選局して、放送局から送信されたテレビジョン放送信号を受信可能なチャンネルの情報をプリセット情報としてメモリに記憶するマイクロコンピュータとを備えたテレビジョン受像機において、マイクロコンピュータは、視聴するチャンネルが指示されたときに、前記プリセット情報に基づいて該チャンネルの周波数を第１チューナにより選局し、所定時間毎にまたは第１チューナによる選局中にテレビジョン放送信号を受信不可能なチャンネルを検出したときに、前記予め記憶されたチャンネルの周波数を自動的に第２チューナにより順次選局して、テレビジョン放送信号を受信可能なチャンネルの情報を新プリセット情報として取得し、該新プリセット情報と既にメモリに記憶した旧プリセット情報とを照合して、その差をプリセット更新情報としてメモリに記憶するプリセット更新１次処理を実行し、プリセット更新１次処理後に、未処理のプリセット更新情報が有れば、電源オン状態の場合は、プリセット情報を更新するか否かを問い合わせる画像をディスプレイに表示して、更新すると指示されたときに、または電源オフ状態の場合は、次に電源オン状態になったときに、未処理のプリセット更新情報と該情報中の各チャンネルの受信映像とをディスプレイに表示して、各チャンネルの追加または抹消をするか否かを選択可能とし、該選択結果に基づいて旧プリセット情報を更新するプリセット更新２次処理を実行する。
【００２８】
このように、第１のチューナを指示されたチャンネルの視聴用にし、第２チューナをプリセット更新１次処理用にすることで、ユーザが所望のチャンネルを視聴しているときに、所定時間毎にプリセット更新１次処理を自動的に実行して、プリセット更新情報を取得することができ、ユーザは、該情報の取得のために、テレビジョン受像機の傍で特別に待機してキー操作する必要がなくなり、何ら手間がかからなくなる。また、第１チューナによる視聴チャンネルの周波数の選局中に、テレビジョン放送信号を受信不可能なチャンネルを検出したことを受けて第２チューナによりプリセット更新１次処理を実行することで、受信状態の変化を見過ごし難くなり、周囲環境に合ったプリセット更新情報を取得することができる。また、プリセット更新１次処理後に、プリセット更新２次処理を実行して、プリセット更新情報と該情報中の各チャンネルの受信映像とをディスプレイに表示するとともに、各チャンネルの追加または抹消を選択可能とし、該選択結果に基づいて旧プリセット情報を更新することで、ユーザは、受信状態が変化したチャンネルを一度に把握して、受信映像より追加または抹消を自由かつ容易に選択することができ、プリセット情報の更新終了までの時間が短縮される。また、プリセット更新１次処理後に、未だプリセット更新２次処理で扱っていない未処理のプリセット更新情報が無い場合は、プリセット更新２次処理を実行しないので、プリセット更新情報が変化していないのに、プリセット更新２次処理を無駄に実行するのを抑止して、マイクロコンピュータの処理負担を軽減することができる。さらに、プリセット更新１次処理後に、電源オン状態の場合は、プリセット情報を更新するか否かを問い合わせる画像をディスプレイに表示して、ここで更新すると指示されたときに、プリセット更新２次処理を実行することで、ユーザが所望のチャンネルの映像等を視聴しているときに、強制的にプリセット更新情報がディスプレイに表示されて該情報中の各チャンネルの追加または抹消を選択しなければならなくなるのを防いで、ユーザがプリセット情報の更新を直ぐに行うか否かを自由に選択することができる。よって、テレビジョン受像機において、一旦記憶したチャンネルのプリセット情報を使用環境に合わせて更新することができ、かつその際に利便性の向上を図ることができる。
【発明の効果】
【００２９】
本発明によれば、所定時間毎にプリセット更新１次処理を自動的に実行して、プリセット更新情報を取得し、その後プリセット更新２次処理を実行して、プリセット更新情報を表示するとともに、該情報中の各チャンネルの追加または抹消を選択可能とし、該選択結果に基づいてプリセット情報を更新するので、一旦記憶したチャンネルのプリセット情報を使用環境に合わせて更新することができ、かつその際に、ユーザによるキー操作等の手間の軽減、全チャンネルの受信確認を行う上でのユーザ待ち時間の短縮、およびユーザによるチャンネルの追加・抹消の自由選択可能化といった利便性の向上を図ることができる。
【発明を実施するための最良の形態】
【００３０】
図１は、本発明の実施形態に係る映像機器およびテレビジョン受像機の一例であるテレビジョン受像機１００のブロック図である。図１の破線で囲んでいる部分がテレビジョン受像機１００の本体である。テレビジョン受像機１００のマイクロコンピュータ（以下、単に「マイコン」という。）１は、ＣＰＵ１ａ、ＲＯＭおよびＲＡＭといったメモリ１ｂ、時間や所定の数等をカウントするカウンタ１ｃ、所定の画像をＣＲＴ（Cathode Ray Tube）６にオンスクリーン表示するＯＳＤ回路１ｄ等から構成されていて、テレビジョン受像機１００の各部の動作制御を行う。図１では、マイコン１から各部へ制御信号を送信するための信号ラインは一部図示を省略している。
【００３１】
チューナ２は、高周波増幅回路、周波数混合回路、および局部発振回路等から構成されていて、アンテナ３で受信したテレビジョン放送電波から所定のチャンネルの周波数を選局する。信号処理部４は、中間周波増幅回路、検波回路、映像信号増幅回路、色信号再生回路、および同期回路等から構成されていて、チューナ２から出力される信号よりＣＲＴ６に映像を表示可能な映像信号およびスピーカ８から音声を出力可能な音声信号を生成して出力する。ＣＲＴ駆動部５は、偏向回路およびフライバックトランス等から構成されていて、ＣＲＴ６に電流及び電圧を供給して信号処理部４から入力される映像信号に基づく映像を表示させる。音声アンプ７は、低周波増幅回路等から構成されていて、信号処理部４から入力される音声信号を増幅して、スピーカ８へ出力する。スピーカ８は、増幅された音声信号に基づいて音声を出力する。
【００３２】
操作部９は、ボタン等の複数の操作キー、各キーの操作状態を検出する回路、およびＬＥＤ等から構成されていて、各操作キーの操作状態を示す信号をマイコン１に出力し、マイコン１からの指示に基づいてＬＥＤを点灯させる。リモコン受信部１０は、受信素子と信号検出回路等から構成されていて、リモートコントローラ（以下、単に「リモコン」という。）１１から発信された信号を受信して、マイコン１に出力する。リモコン１１は、ボタン等の複数の操作キー、各キーの操作状態を検出する回路、および各キーに対応する信号を発信する発信素子や回路等から構成されている。電源部１２は、電源回路およびスイッチ等から構成されていて、一戸建てやマンション等の住宅に設けられたＡＣ電源部２０または車に設けられたＤＣ電源部３０から電源コードを介して供給される電力をもとに、テレビジョン受像機１００の各部へ所定の大きさの電力を供給する。マイコン１は、外部（つまりＡＣ電源部２０またはＤＣ電源部３０のこと）より電源部１２に供給される電力状態を電源部１２からの出力信号により検出する。
【００３３】
メモリ１３は、ＲＡＭおよび不揮発性メモリ等から構成されている。このメモリ１３の所定領域には、テレビジョン放送帯域に割り当てられた全てのチャンネルの番号と周波数等の情報が放送チャンネル情報Ｚａとして予め記憶されている。操作部９またはリモコン１１の操作キーを所定操作すると、マイコン１は、メモリ１３の放送チャンネル情報Ｚａの各チャンネルの周波数をチューナ２により順次選局し、放送局から送信されたテレビジョン放送信号を受信可能なチャンネルの番号と周波数等の情報をプリセット情報としてメモリ１３の所定領域に記憶するオートプリセット処理を行う。図１では、メモリ１３に記憶されたプリセット情報を旧プリセット情報Ｚｂとして示している。オートプリセット処理を行った後、操作部９またはリモコン１１のチャンネルキーを操作すると、マイコン１は、該操作で視聴が指示されたチャンネルの周波数等の情報を旧プリセット情報Ｚｂから読み出して、その周波数をチューナ２により選局し、得られるテレビジョン放送信号に基づく映像および音声をＣＲＴ６に表示しスピーカ８から出力する。即ち、プリセット（つまりメモリ１３の旧プリセット情報Ｚｂに記憶）されたチャンネルの映像および音声が即座に視聴可能となる。
【００３４】
また、マイコン１は、一旦オートプリセット処理を行った後に、後述するように、所定時間毎に放送チャンネル情報Ｚａの各チャンネルの周波数をチューナ２により順次選局し、テレビジョン放送信号を受信可能なチャンネルの番号と周波数等の情報を新プリセット情報Ｚｄとして取得して内蔵のメモリ１ｂに記憶し、該新プリセット情報Ｚｄと既にメモリ１３に記憶された旧プリセット情報Ｚｂとを照合して、その差（相違点）をプリセット更新情報Ｚｃとしてメモリ１３の所定領域に記憶するプリセット更新１次処理を行う。さらに、マイコン１は、一旦オートプリセット処理を行った後に、後述するように、プリセット更新情報ＺｃをＣＲＴ６に表示して、該情報Ｚｃ中の各チャンネルの追加または抹消をするか否かを選択可能とし、ここでの選択結果に基づいてメモリ１３の旧プリセット情報Ｚｂを更新するプリセット更新２次処理を行う。
【００３５】
以上の構成において、マイコン１は、本発明における制御手段およびマイクロコンピュータの一実施形態を構成する。メモリ１３は、本発明における記憶手段およびメモリの一実施形態を構成する。チューナ２は、本発明における選局手段およびチューナの一実施形態を構成する。ＣＲＴ６は、本発明における表示手段およびディスプレイの一実施形態を構成する。
【００３６】
図２〜図４は、テレビジョン受像機１００において、一旦オートプリセット処理を実行した後にメモリ１３の旧プリセット情報Ｚｂを更新するための処理の手順を示すフローチャートである。図２は、メイン処理のフローチャートであり、図３は、前述したプリセット更新情報Ｚｃを自動取得するプリセット更新１次処理のフローチャートであり、図４は、前述した旧プリセット情報Ｚｂをプリセット更新情報Ｚｃに基づいて更新するプリセット更新２次処理のフローチャートである。各処理は、マイコン１が実行する。
【００３７】
図２のメイン処理において、外部から電力が供給されている状態で、マイコン１は、先ずテレビジョン受像機１００の電源がＯＦＦ（オフ）状態かＯＮ（オン）状態かを確認する（ステップＳ１）。なお、電源がＯＦＦ状態とは、電源部１２からＣＲＴ６およびスピーカ８に電力を供給しておらず、ＣＲＴ６およびスピーカ８から映像および音声が出力されていないテレビジョン受像機１００のスタンバイ状態のことである。また、電源がＯＮ状態とは、電源部１２からＣＲＴ６およびスピーカ８に電力を供給していて、ＣＲＴ６およびスピーカ８から映像および音声を出力しているテレビジョン受像機１００の起動状態のことである。ステップＳ１で電源ＯＦＦ状態であれば、マイコン１は、カウンタ１ｃを参照して、前回のプリセット更新１次処理の終了時から予め設定された所定時間（メモリ１ｂに記憶されている時間で、例えば２４時間等）が経過したか否かを確認する（ステップＳ２）。ここで、所定時間が経過していなければまたはプリセット更新１次処理を未だ一度も実行していなければ（ステップＳ２：ＮＯ）、マイコン１はステップＳ１へ移行する。なお、プリセット更新１次処理を未だ一度も実行していないか既に実行済みかは、例えば、該実行状態を示すフラグをメモリ１ｂまたはメモリ１３の所定領域に設けておき、マイコン１がプリセット更新１次処理を始めて実行したときに、該フラグを「０」から「１」にすることで、該フラグの状態から容易に判断できる。
【００３８】
上記に対して、ステップＳ２で所定時間が経過していれば（ステップＳ２：ＹＥＳ）、マイコン１は、図３のフローチャートに従ってプリセット更新１次処理を実行する（ステップＳ３）。図３のプリセット更新１次処理において、マイコン１は、先ずメモリ１３の放送チャンネル情報Ｚａから予め設定された１つのチャンネルの周波数を読み出して、アンテナ３で受信したテレビジョン放送電波からそのチャンネルの周波数をチューナ２により選局する（ステップＳ１１）。本例では、放送チャンネル情報Ｚａに記憶された複数のチャンネルのうち、最小チャンネルから最大チャンネルまでを順次スキャンするため、まず最小チャンネルの周波数を読み出すように設定されている。そして、マイコン１は、チューナ２から出力された信号を信号処理部４で処理して、テレビジョン放送信号を受信できたか否かを判定する（ステップＳ１２）。この判定は、例えば、チューナ２による選局で得られた信号に水平同期信号が含まれているか否かを確認し、含まれていれば、テレビジョン放送信号を受信できたと判定し、含まれていなければ、テレビジョン放送信号を受信できなかったと判定する。ステップＳ１２でテレビジョン放送信号を受信できなかったと判定すると（ステップＳ１２：ＮＯ）、マイコン１は、次のチャンネルに切り替えて（ステップＳ１３）、上述したように該次のチャンネルの周波数をチューナ２により選局する（ステップＳ１１）。
【００３９】
一方、ステップＳ１２でテレビジョン放送信号を受信できたと判定すると（ステップＳ１２：ＹＥＳ）、マイコン１は、選局中のチャンネルの番号および周波数等の情報を新プリセット情報Ｚｄとしてメモリ１ｂに記憶する（ステップＳ１４）。なお、このとき実行中のプリセット更新１次処理が２回目以降で、メモリ１ｂに前の実行時の新プリセット情報Ｚｄが記憶されている場合は、マイコン１は、これを消去して、今回のチャンネル情報を新プリセット情報Ｚｄとして記憶する。記憶後、マイコン１は、選局中のチャンネルが最終チャンネルか否かを確認する（ステップＳ１５）。本例では、前述したように放送チャンネル情報Ｚａの最小チャンネルから最大チャンネルまでを順次スキャンするため、最大チャンネルが最終チャンネルとして設定されている。ステップＳ１５で選局中のチャンネルが最終チャンネルでなければ（ステップＳ１５：ＮＯ）、マイコン１は、次のチャンネルに切り替えて（ステップＳ１３）、上述したように該次のチャンネルの周波数をチューナ２により選局する（ステップＳ１１）。そして、ステップＳ１２でテレビジョン放送信号を受信できたと判定し（ステップＳ１２：ＹＥＳ）、ステップＳ１４で選局中のチャンネルの情報を新プリセット情報Ｚｄとしてメモリ１ｂに記憶する場合は、マイコン１は、実行中のプリセット更新１次処理で先にメモリ１ｂに記憶した新プリセット情報Ｚｄに、今回のチャンネル情報を追加するように記憶する。これにより、メモリ１ｂの新プリセット情報Ｚｄにはテレビジョン放送信号を受信可能な複数のチャンネルの情報がそれぞれ含まれている状態となる。
【００４０】
その後、ステップＳ１１〜ステップＳ１５を繰り返し実行して、ステップＳ１５で選局中のチャンネルが最終チャンネルであれば（ステップＳ１５：ＹＥＳ）、マイコン１は、テレビジョン放送信号を受信可能な全てのチャンネルの情報を示す新プリセット情報Ｚｄが取得できたので、該新プリセット情報Ｚｄと既にメモリ１３に記憶された旧プリセット情報Ｚｂとを照合する（ステップＳ１６）。この照合の結果、新旧プリセット情報Ｚｄ、Ｚｂに差（つまり新たにテレビジョン放送信号を受信可能または受信不可能になったチャンネルの情報のこと）があれば（ステップＳ１７：ＹＥＳ）、マイコン１は、その差をプリセット更新情報Ｚｃとしてメモリ１３に記憶し（ステップＳ１８）、プリセット更新１次処理を終了する。なお、このとき実行中のプリセット更新１次処理が２回目以降で、メモリ１３に前の実行時のプリセット更新情報Ｚｃが記憶されている場合は、マイコン１は、これを消去して、今回の新旧プリセット情報Ｚｄ、Ｚｂの差をプリセット更新情報Ｚｃとして記憶する。一方、ステップＳ１６の照合の結果、新旧プリセット情報Ｚｄ、Ｚｂに差がなければ（ステップＳ１７：ＮＯ）、マイコン１はプリセット更新１次処理を終了する。
【００４１】
また、図２のメイン処理において、操作部９またはリモコン１１の電源キーが操作されて、ステップＳ１でテレビジョン受像機１００が電源ＯＮ状態になると、マイコン１は、メモリ１３に未だプリセット更新２時次処理で扱っていない未処理のプリセット更新情報Ｚｃが有るか否かを確認する（ステップＳ４）。ここで、プリセット更新１次処理を未だ一度も実行していない場合、プリセット更新１次処理を実行したが新旧プリセット情報Ｚｄ、Ｚｂに差がなくてプリセット更新情報Ｚｃを取得できなかった場合、またはプリセット更新情報Ｚｃを取得したが既にプリセット更新２時次処理を実行して該プリセット更新情報Ｚｃを扱った場合は、メモリ１３に未処理のプリセット更新情報Ｚｃが無いので（ステップＳ４：ＮＯ）、マイコン１はメイン処理を終了する。なお、メモリ１３にプリセット更新情報Ｚｃが記憶されているか否かおよび該プリセット更新情報Ｚｃが未処理であるか否かは、例えば、該記憶状態および該処理状態を示すフラグをメモリ１３等の所定領域にそれぞれ設けておき、マイコン１がメモリ１３にプリセット更新情報Ｚｃを記憶したときおよび該プリセット更新情報Ｚｃをプリセット更新２次処理で扱ったときに、該フラグをそれぞれ「０」から「１」にすることで、該フラグの状態から容易に判断できる。
【００４２】
上記に対して、ステップS４で既にプリセット更新１次処理を実行してプリセット更新情報Ｚｃを取得していて、該プリセット更新情報Ｚｃを未だプリセット更新２次処理で扱っていない場合は、メモリ１３に未処理のプリセット更新情報Ｚｃが有るので（ステップＳ４：ＹＥＳ）、マイコン１は、図４のフローチャートに従ってプリセット更新２次処理を実行する（ステップＳ５）。図４のプリセット更新２次処理において、マイコン１は、先ずプリセット更新情報Ｚｃを含む受信チャンネル更新画像をＣＲＴ６にオンスクリーン表示するとともに（ステップＳ２１）、プリセット更新情報Ｚｃ中の各チャンネルの周波数をチューナ２により選局して得られる受信映像をＣＲＴ６に表示する（ステップＳ２２）。
【００４３】
図５は、このときのＣＲＴ６の表示画面を示す図である。図５のＣＲＴ６の画面の左上に示す受信チャンネル更新画像Ｇ中には、プリセット更新情報Ｚｃに含まれる新たにテレビジョン放送信号を受信可能になったチャンネルが追加チャンネルとして示されていて、新たにテレビジョン放送信号を受信不可能になったチャンネルが抹消チャンネルとして示されていて、チャンネル毎に、追加するか否かや抹消するか否かを選択する二者択一の選択肢が設けられている。また、リモコン１１等の操作キーの操作により受信チャンネル更新画像Ｇ中を移動可能なカーソルＫと、選択内容を決定する「決定」ボタンが設けられている。画面の斜線で示す部分には、カーソルＫが位置しているチャンネルの受信映像Ｅが表示されていて、画面の右上には、該チャンネルの番号Ｎが表示されている。
【００４４】
ユーザがリモコン１１等の操作キーを操作して、カーソルＫをいずれかのチャンネルの選択肢に合わせたり、該合わせた状態で所定の操作キーを操作したり、カーソルＫを「決定」ボタンに合わせた状態で所定の操作キーを操作したりすると、マイコン１は、選択指示有りと判断して（図４のステップＳ２３：ＹＥＳ）、該選択指示をメモリ１ｂに記憶しかつ受信チャンネル更新画像Ｇに反映させる（ステップＳ２４）。具体的には、カーソルＫをいずれかのチャンネルの欄に合わせると、図５の画面の斜線部分にそのチャンネルの受信映像Ｅが表示され、右上にそのチャンネルの番号Ｎが表示される。また、ユーザが受信映像Ｅを見ながら各チャンネルのプリセット情報Ｚｂに対する追加や抹消の要否を判断して、カーソルＫをいずれかのチャンネルの選択肢に合わせた状態で所定の操作キーを操作すると、そのチャンネルを追加するか追加しないかや抹消するか抹消しないかが選択されて、選択された選択肢が選択されていない選択肢より目立つ態様で表示される。図５では、選択した方を太字で大きく表し、選択していない方を細字で小さく表している。このような選択操作を行う前の初期状態で、選択される可能性の高い「追加する」や「抹消する」の選択肢を予め選択された状態としてメモリ１ｂに記憶して、受信チャンネル更新画像Ｇ中で目立つ態様で表示しておくと、ユーザによる選択操作の手間を軽減することができる。
【００４５】
そして、ユーザが上記のようにして各チャンネルの追加や抹消の選択を終えた後、カーソルＫを「決定」ボタンに合わせた状態で所定の操作キーを操作すると、マイコン１は、決定指示有りと判断して（図４のステップＳ２５：ＹＥＳ）、メモリ１ｂに記憶した選択結果に基づいてメモリ１３の旧プリセット情報Ｚｂを更新し（ステップＳ２６）、更新後、プリセット更新２次処理を終了する。これにより、受信チャンネル更新画像Ｇ中で、追加すると選択されたテレビジョン放送信号を受信可能なチャンネルの情報が、旧プリセット情報Ｚｂに追加記憶され、抹消すると選択されたテレビジョン放送信号を受信不可能なチャンネルの情報が、旧プリセット情報Ｚｂから抹消される。
【００４６】
以上のように、テレビジョン受像機１００が電源ＯＦＦ状態のとき、即ちユーザがテレビジョン受像機１００をテレビ番組の視聴等のために使用していないときに、所定時間毎にプリセット更新１次処理を自動的に実行して、プリセット更新情報Ｚｃ、即ち新たに受信可能になったチャンネルと受信不可能になったチャンネルの情報を取得することで、ユーザは、プリセット更新情報Ｚｃの取得のために、テレビジョン受像機１００の傍で特別に待機してキー操作する必要がなく、何ら手間がかからなくなる。
【００４７】
また、その後テレビジョン受像機が電源ＯＮ状態になったときに、プリセット更新２次処理を実行して、プリセット更新情報ＺｃをＣＲＴ６に表示するとともに、該情報Ｚｃ中の各チャンネルの追加または抹消を選択可能とし、ここでの選択結果に基づいてメモリ１３の旧プリセット情報Ｚｂを更新することで、ユーザは、受信状態が変化したチャンネルが複数あっても、該チャンネルを一度に把握して、追加または抹消を自由に選択することができ、プリセット情報Ｚｂの更新終了までの時間、即ち所望のチャンネルの映像等を視聴可能になるまでの時間が短縮される。
【００４８】
また、テレビジョン受像機１００が電源ＯＮ状態になりかつ未処理のプリセット更新情報Ｚｃが有る場合にのみ、プリセット更新２次処理を実行するので、プリセット更新情報Ｚｃが前の取り扱い時から変化していないのに、電源ＯＮの度にプリセット更新２次処理を無駄に実行するのを抑止して、マイコン１の処理負担を軽減することができる。
【００４９】
さらに、プリセット更新２次処理で、プリセット更新情報Ｚｃとともに該情報Ｚｃ中の各チャンネルの受信映像Ｅとチャンネル番号Ｎとを表示するので、ユーザは、該受信映像Ｅおよびチャンネル番号Ｎを見ながら各チャンネルのプリセット情報Ｚｂに対する追加または抹消の要否を容易に判断可能となる。
【００５０】
よって、テレビジョン受像機１００において、一旦記憶したチャンネルのプリセット情報Ｚｂを使用環境に合わせて更新することができ、かつその際に、ユーザの手間を軽減し、全チャンネルの受信確認を行う上でユーザの待ち時間を短縮し、チャンネルの追加・抹消をユーザにより自由に選択可能にして、利便性の向上を図ることができる。
【００５１】
以上の実施形態では、プリセット更新１次処理の自動実行間隔（つまり図２のステップＳ２の所定時間のこと）が予め設定されてメモリ１ｂに記憶されている場合を例に挙げたが、プリセット更新１次処理の自動実行間隔は、マイコン１が適宜可変するようにしてもよい。図６〜図８は、この場合の実施形態をそれぞれ示す図である。各図は、プリセット更新１次処理の自動実行間隔設定処理の手順を示すフローチャートである。各処理は、マイコン１が実行する。
【００５２】
図６のプリセット更新１次処理の自動実行間隔設定処理において、マイコン１は、上述した図２〜図４の各処理と独立して、先ずテレビジョン受像機１００が車載（つまり車に搭載）されているか否かを判定する（ステップＳ３１）。この判定は、例えば、外部から電源部１２に供給される電力がＤＣ１２ＶかＡＣ６０Ｈｚ（または５０Ｈｚ）かを確認し、ＤＣ１２Ｖであれば、車に設けられたＤＣ電源部３０から電力が供給されているので、テレビジョン受像機１００が車載されていると判定し、ＡＣ６０Ｈｚ（または５０Ｈｚ）であれば、住宅に設けられたＡＣ電源部２０から電力が供給されているので、テレビジョン受像機１００が住宅内に据え置きされていて車載されていないと判定する。またこれ以外に、例えば、電源部１２に外部からの供給電力に車のエンジンの駆動によって生じるノイズが含まれているか否かを検出する回路を設け、該検出回路により上記エンジンノイズが含まれているのを検出すると、テレビジョン受像機１００が車載されていると判定し、上記エンジンノイズが含まれていないのを検出すると、テレビジョン受像機１００が車載されていないと判定するようにしてもよい。
【００５３】
ステップＳ３１でテレビジョン受像機１００が車載されていると判定すると（ステップＳ３１：ＹＥＳ）、マイコン１は、プリセット更新１次処理の自動実行間隔として所定の短時間（２４時間未満で、例えば５時間）を設定して（ステップＳ３２）、メモリ１ｂの所定領域に記憶し、該自動実行間隔設定処理を終了する。これに対して、ステップＳ３１でテレビジョン受像機１００が車載されていないと判定すると（ステップＳ３１：ＮＯ）、マイコン１は、プリセット更新１次処理の自動実行間隔として所定の長時間（２４時間以上で、例えば２４時間）を設定して（ステップＳ３３）、メモリ１ｂの所定領域に記憶し、該自動実行間隔設定処理を終了する。
【００５４】
テレビジョン受像機１００が車載されている場合は、車とともに移動させられることによりチャンネルの受信状態が変化し易いため、上記のようにプリセット更新１次処理の自動実行間隔を短くする（上記例では５時間経過する毎に実行する）ことで、受信状態の変化を見過ごし難くなり、周囲環境に合ったプリセット更新情報Ｚｃを取得することができる。また、テレビジョン受像機１００が車載されていない場合は、住宅で据え置き状態等にあって車載されている場合よりチャンネルの受信状態が変化し難いため、上記のようにプリセット更新１次処理の自動実行間隔を長くする（上記例では２４時間経過する毎、つまり１日おきに実行する）ことで、受信状態が変化していないときにプリセット更新１次処理が無駄に実行されるのを抑止して、マイコン１の処理負担を一層軽減することができる。
【００５５】
次に、図７のプリセット更新１次処理の自動実行間隔設定処理において、マイコン１は、前述したプリセット更新１次処理が終了すると（ステップＳ４１：ＹＥＳ）、該１次処理で新旧プリセット情報Ｚｄ、Ｚｂに差が有ったか否かを判定する（ステップＳ４２）。なお、新旧プリセット情報Ｚｄ、Ｚｂに差が有ったか否かは、例えば、該差の有無状態を示すフラグをメモリ１ｂ等の所定領域に設けておき、マイコン１が新旧プリセット情報Ｚｄ、Ｚｂより差を検出したときに、該フラグを「０」から「１」にすることで、該フラグの状態から容易に判断できる。ステップＳ４２で新旧プリセット情報Ｚｄ、Ｚｂに差が無かったと判定すると（ステップＳ４２：ＮＯ）、マイコン１は、プリセット更新１次処理の自動実行間隔を現在の間隔から所定時間（例えば、７時間）延長して（ステップＳ４３）、メモリ１ｂの所定領域に記憶し、該自動実行間隔設定処理を終了する。
【００５６】
上記に対して、ステップＳ４２で新旧プリセット情報Ｚｄ、Ｚｂに差が有ったと判定すると（ステップＳ４２：ＹＥＳ）、マイコン１は、該差であるメモリ１３のプリセット更新情報Ｚｃより受信状態の変化したチャンネル数（つまりプリセット更新情報Ｚｃ中の受信可能および受信不可能になったチャンネル数のことで、新旧プリセット情報Ｚｄ、Ｚｂの差の大きさを示す）をカウンタ１ｃによりカウントし（ステップＳ４４）、該チャンネル数が予め設定された所定数（例えば１）以下か否かを判定する（ステップＳ４５）。ここで、上記チャンネル数が所定数以下と少なければ（ステップＳ４５：ＹＥＳ）、マイコン１は、プリセット更新１次処理の自動実行間隔を変更せずにそのままにして（ステップＳ４６）、該自動実行間隔設定処理を終了する。これに対して、ステップＳ４５で上記チャンネル数が所定数より多ければ（ステップＳ４５：ＮＯ）、マイコン１は、プリセット更新１次処理の自動実行間隔を現在の間隔から所定時間（例えば、５時間）短縮して（ステップＳ４７）、メモリ１ｂの所定領域に記憶し、該自動実行間隔設定処理を終了する。
【００５７】
前の実行時の新旧プリセット情報Ｚｄ、Ｚｂの差が大きい場合は、チャンネルの受信状態がこれからも大きく変化していることが予想されるので、上記のようにプリセット更新１次処理の自動実行間隔を短くすることで、受信状態の変化を見過ごし難くなり、周囲環境に合ったプリセット更新情報Ｚｃを取得することができる。また、前の実行時の新旧プリセット情報Ｚｄ、Ｚｂの差が小さい場合または差が無い場合は、チャンネルの受信状態がこれからもあまりまたは全く変化しないことが予想されるので、上記のようにプリセット更新１次処理の自動実行間隔を長くすることで、受信状態があまりまたは全く変化していないときにプリセット更新１次処理が無駄に実行されるのを抑止して、マイコン１の処理負担を一層軽減することができる。
【００５８】
次に、図８のプリセット更新１次処理の自動実行間隔設定処理において、マイコン１は、前述したプリセット更新１次処理を開始して（ステップＳ５１：ＹＥＳ）、いずれかのチャンネルの周波数をチューナ２により選局すると（ステップＳ５２：ＹＥＳ）、該選局により受信される信号の電界強度である受信強度レベルを信号処理部４により検出する（ステップＳ５３）。そして、マイコン１は、受信強度レベルが予め設定された上の閾値未満であるか否かを判定し（ステップＳ５４）、上の閾値以上であれば（ステップＳ５４：ＮＯ）、受信強度レベルはテレビジョン放送信号を受信可能なレベルであると判断し、次のチャンネルの周波数が選局されるのを待つ（ステップＳ５２）。これに対して、ステップＳ５４で受信強度レベルが上の閾値未満であれば（ステップＳ５４：ＹＥＳ）、受信強度レベルはテレビジョン放送信号を受信不可能なレベルであると判断し、続いて受信強度レベルが予め設定された下の閾値以上であるか否かを判定する（ステップＳ５５）。ここで、受信強度レベルが下の閾値未満であれば（ステップＳ５５：ＮＯ）、マイコン１は、受信強度レベルはテレビジョン放送信号の受信に程遠いレベルであると判断し、次のチャンネルの周波数が選局されるのを待つ（ステップＳ５２）。これに対して、ステップＳ５５で受信強度レベルが下の閾値以上であれば（ステップＳ５５：ＹＥＳ）、マイコン１は、受信強度レベルはテレビジョン放送信号を受信間近のレベルであると判断し、該受信間近レベルの該当数である受信予備チャンネル数をカウンタ１ｃにより１つカウントアップしてから（ステップＳ５６）、次のチャンネルの周波数が選局されるのを待つ（ステップＳ５２）。
【００５９】
そして、全てのチャンネルの選局が終了して、選局が行われなくなり（ステップＳ５２：ＮＯ）、プリセット更新１次処理が終了すると（ステップＳ５７：ＹＥＳ）、マイコン１は、受信予備チャンネル数が予め設定された所定数（例えば２）以上か否かを判定する（ステップＳ５８）。ここで、受信予備チャンネル数が所定数以上であれば（ステップＳ５８：ＹＥＳ）、マイコン１は、プリセット更新１次処理の自動実行間隔を所定の短時間（例えば５時間）に設定して（ステップＳ５９）、メモリ１ｂの所定領域に記憶し、該自動実行間隔設定処理を終了する。これに対して、受信予備チャンネル数が所定数未満であれば（ステップＳ５８：ＮＯ）、マイコン１は、プリセット更新１次処理の自動実行間隔を所定の長時間（例えば１０時間）に設定して（ステップＳ６０）、メモリ１ｂの所定領域に記憶し、該自動実行間隔設定処理を終了する。
【００６０】
テレビジョン放送信号を受信間近の状態にあるチャンネル数が多い場合は、チャンネルの受信状態がこれから大きく変化することが予想されるので、上記のようにプリセット更新１次処理の自動実行間隔を短くすることで、受信状態の変化を見過ごし難くなり、周囲環境に合ったプリセット更新情報Ｚｃを取得することができる。また、テレビジョン放送信号を受信間近の状態にあるチャンネル数が少ない場合は、チャンネルの受信状態がこれからあまりまたは全く変化しないことが予想されるので、上記のようにプリセット更新１次処理の自動実行間隔を長くすることで、受信状態があまりまたは全く変化していないときにプリセット更新１次処理が無駄に実行されるのを抑止して、マイコン１の処理負担を一層軽減することができる。
【００６１】
図９および図１０は、本発明の他の実施形態を示す図である。図９は、他の実施形態に係る映像機器およびテレビジョン受像機の一例であるテレビジョン受像機１０１のブロック図である。図中、前述した図１と同一部分には同一符号を付してある。テレビジョン受像機１０１は、図１のテレビジョン受像機１００と大半が同一の構成であるが、選局手段として２台のチューナ２ａ、２ｂを備えている点で相違する。第１チューナ２ａは視聴等用であって、ユーザがリモコン１１等の操作キーを操作して視聴するチャンネルを指示したときに、マイコン１が、メモリ１３のプリセット情報Ｚｂに基づいて、該チャンネルの周波数を第１チューナ２ａにより選局して、該チャンネルの映像および音声をＣＲＴ６およびスピーカ８から出力する。第２チューナ２ｂはプリセット更新１次処理等用であって、前述のプリセット更新１次処理の実行時に、マイコン１が、メモリ１３の放送チャンネル情報Ｚａに予め記憶された各チャンネルの周波数を、第２チューナ２ｂにより自動的に順次選局する。
【００６２】
図１０は、テレビジョン受像機１０１において、一旦オートプリセット処理を実行した後にメモリ１３の旧プリセット情報Ｚｂを更新するためのメイン処理の手順を示すフローチャートである。各処理は、マイコン１が実行する。図１０のメイン処理において、外部から電力が供給されている状態で、マイコン１は、先ず前回のプリセット更新１次処理の終了時から所定時間（図２、または図６〜図８で説明したプリセット更新１次処理の自動実行間隔）が経過したか否かを確認する（ステップＳ６１）。ここで、所定時間が経過していなければまたはプリセット更新１次処理を未だ一度も実行していなければ（ステップＳ６１：ＮＯ）、マイコン１は、テレビジョン受像機１０１が電源ＯＮ状態か否かを確認する（ステップＳ６２）。ここで、テレビジョン受像機１０１が電源ＯＦＦ状態であれば（ステップＳ６２：ＮＯ）、スタンバイ状態なので、マイコン１はステップＳ６１へ移行する。これに対して、ステップＳ６２でテレビジョン受像機１０１が電源ＯＮ状態であれば（ステップＳ６２：ＹＥＳ）、ユーザに視聴させるために所定のチャンネルの映像等をＣＲＴ６等から出力しているので、マイコン１は、上述した視聴動作を第１チューナ２ａ等により行いながら、第１チューナ２ａ等でテレビジョン放送信号を受信できないチャンネルを検出したか否かを判定する（ステップＳ６３）。ここで、テレビジョン放送信号を受信できないチャンネルを検出しなかったら（ステップＳ６３：ＮＯ）、マイコン１はステップＳ６１へ移行する。なお、テレビジョン放送信号を受信できないチャンネルを検出したか否かは、例えば、該検出状態を示すフラグをメモリ１ｂ等の所定領域に設けておき、マイコン１が視聴動作中の所定時間内に第１チューナ２ａおよび信号処理部４によりテレビジョン放送信号を受信できないチャンネルを検出したときに、該フラグを「０」から「１」にすることで、該フラグの状態から容易に判断できる。
【００６３】
ステップＳ６１で所定時間が経過していると（ステップＳ６１：ＹＥＳ）、またはステップＳ６３でテレビジョン放送信号を受信できないチャンネルを検出すると（ステップＳ６３：ＹＥＳ）、マイコン１は、第２チューナ２ｂによりプリセット更新１次処理を前述した図３のフローチャートに従って実行する（ステップＳ６４）。プリセット更新１次処理の詳細は、前述した通りであるので、ここでは説明を省略する。そして、プリセット更新１次処理の実行後、マイコン１は、メモリ１３に未処理のプリセット更新情報Ｚｃが有るか否かを確認する（ステップＳ６５）。ここで、未処理のプリセット更新情報Ｚｃが無ければ（ステップＳ６５：ＮＯ）、マイコン１はメイン処理を終了する。
【００６４】
上記に対して、ステップＳ６５で未処理のプリセット更新情報Ｚｃが有れば（ステップＳ６５：ＹＥＳ）、マイコン１は、テレビジョン受像機１０１が電源ＯＮ状態か否かを確認する（ステップＳ６６）。ここで、テレビジョン受像機１０１が電源ＯＮ状態であれば（ステップＳ６６：ＹＥＳ）、ユーザに視聴させるために所定のチャンネルの映像等をＣＲＴ６等から出力しているので、マイコン１は、受信チャンネル更新問い合わせ画像をＣＲＴ６にオンスクリーン表示する（ステップＳ６７）。
【００６５】
図１１は、このときのＣＲＴ６の表示画面を示す図である。図１１のＣＲＴ６の画面の左上には、受信チャンネル更新問い合わせ画像Ｔが表示されていて、該画像Ｔ中には、チャンネルの受信状態が変化したことを通知するメッセージと、受信チャンネルを更新（つまりメモリ１３のプリセット情報Ｚｂを更新）するか否かを問い合わせるメッセージ並びに指示する「はい」ボタンおよび「いいえ」ボタンと、カーソルＫが示されている。また、画面の斜線で示す部分には、視聴用のチャンネルの受信映像Ｓが表示されている。ユーザがリモコン１１等の操作キーを操作して、カーソルＫを「いいえ」ボタンに合わせた状態で所定の操作キーを操作すると、マイコン１は、更新指示無しと判断して（図１０のステップＳ６８：ＮＯ）、メイン処理を終了する。これに対して、ユーザがカーソルＫを「はい」ボタンに合わせた状態で所定の操作キーを操作すると、マイコン１は、更新指示有りと判断して（ステップＳ６８：ＹＥＳ）、プリセット更新２次処理を前述した図４のフローチャートに従って実行し（ステップＳ６９）、該実行後にメイン処理を終了する。プリセット更新２次処理の詳細は、前述した通りであるので、ここでは説明を省略する。
【００６６】
一方、ステップＳ６６でテレビジョン受像機１０１が電源ＯＦＦ状態であれば（ステップＳ６６：ＮＯ）、スタンバイ状態であるので、マイコン１は、次にユーザによりリモコン１１等の電源キーが操作される等して電源ＯＮ状態になったときに、プリセット更新２次処理を前述した図４のフローチャートに従って実行し（ステップＳ７０）、該実行後にメイン処理を終了する。
【００６７】
以上のように、複数のチューナ２ａ、２ｂのうち、第１チューナ２ａを指示されたチャンネルの視聴用にし、第２チューナ２ｂをプリセット更新１次処理用にすることで、ユーザが所望のチャンネルの映像等を視聴しているときに、所定時間毎にプリセット更新１次処理を自動的に実行して、プリセット更新情報Ｚｃを取得することができ、ユーザは、該情報Ｚｃの取得のために、テレビジョン受像機１０１の傍で特別に待機したり、映像等を視聴不可能な状態で待たされたり、キー操作をしたりする必要はなく、何ら手間がかからなくなる。
【００６８】
また、第１チューナ２ａによる視聴チャンネルの周波数の選局中に、テレビジョン放送信号を受信不可能なチャンネルを検出したことを受けて第２チューナ２ｂによりプリセット更新１次処理を実行することで、受信状態の変化を見過ごし難くなり、周囲環境に合ったプリセット更新情報Ｚｃを取得することができる。
【００６９】
また、プリセット更新１次処理後に、プリセット更新２次処理を実行して、プリセット更新情報ＺｃをＣＲＴ６に表示するとともに、該情報Ｚｃ中の各チャンネルの追加または抹消を選択可能とし、ここでの選択結果に基づいて旧プリセット情報Ｚｂを更新することで、ユーザは、受信状態が変化したチャンネルが複数あっても、該チャンネルを一度に把握して、追加または抹消を自由に選択することができ、プリセット情報Ｚｂの更新終了までの時間が短縮される。
【００７０】
また、プリセット更新１次処理後に、未だプリセット更新２次処理で扱っていない未処理のプリセット更新情報Ｚｃが無い場合は、プリセット更新２次処理を実行しないので、プリセット更新情報Ｚｃが変化していないのに、プリセット更新２次処理を無駄に実行するのを抑止して、マイコン１の処理負担を軽減することができる。
【００７１】
また、プリセット更新１次処理後に、テレビジョン受像機１０１が電源ＯＮ状態の場合は、プリセット情報Ｚｂを更新するか否かを問い合わせる画像ＴをＣＲＴ６に表示して、ここで更新すると指示されたときに、プリセット更新２次処理を実行することで、ユーザが所望のチャンネルの映像等を視聴しているときに、強制的にプリセット更新情報ＺｃがＣＲＴ６に表示されて該情報Ｚｃ中の各チャンネルの追加または抹消を選択しなければならなくなるのを防いで、ユーザがプリセット情報Ｚｂの更新を直ぐに行うか否かを自由に選択することができる。
【００７２】
よって、テレビジョン受像機１０１において、一旦記憶したチャンネルのプリセット情報Ｚｂを使用環境に合わせて更新することができ、かつその際に、ユーザによるキー操作等の手間の軽減、全チャンネルの受信確認を行う上でのユーザ待ち時間の短縮、およびユーザによるチャンネルの追加・抹消の自由選択可能化といった利便性の向上を図ることができる。
【００７３】
本発明は、以上述べた実施形態以外にも種々の形態を採用することができる。例えば、以上の実施形態では、新プリセット情報Ｚｄをマイコン１内のメモリ１ｂに記憶し、放送チャンネル情報Ｚａ、旧プリセット情報Ｚｂ、およびプリセット更新情報Ｚｃをマイコン１外のメモリ１３にそれぞれ記憶するようにした例を挙げているが、本発明はこれにのみに限定するものではない。これ以外に、例えば各情報Ｚａ〜Ｚｄを全ていずれかのメモリ１ｂ、１３に記憶するようにしてもよい。また、メモリではなく、ハードディスクのような記憶手段に記憶してもよい。つまり、記憶手段としては、電源ＯＦＦ状態や停電等の外部からの電力供給が断たれた状態であっても、各情報Ｚａ〜Ｚｄを記憶した状態を維持できるものであればよい。
【００７４】
また、以上の実施形態では、プリセット更新２次処理で、プリセット更新情報Ｚｃ中の各チャンネルの受信映像を、カーソルＫの位置に応じて切り替えてＣＲＴ６に表示するようにした例を挙げているが、本発明はこれのみに限定するものではない。これ以外に、例えば各チャンネルの受信映像を、所定秒毎に自動的に切り替えてＣＲＴ６に表示したり、ＣＲＴ６の画面を分割して一度に表示したりしてもよい。
【００７５】
また、以上の実施形態では、プリセット更新１次処理の自動実行間隔を、図６および図８に示したように所定の長時間と短時間のいずれかに切り替えたり、図７に示したように所定時間ずつ延長または短縮したりして可変した例を挙げているが、本発明はこれのみに限定するものではない。これ以外に、例えばプリセット更新１次処理の自動実行間隔として、予め長さの異なる３つ以上の時間間隔を定めてメモリ１ｂ等に記憶しておき、プリセット更新１次処理の最初の実行時は自動実行間隔をそれらのうちの中程度の時間間隔に設定し、次からは自動実行間隔を適宜他の時間間隔に段階的に短くまたは長くするように可変してもよい。
【００７６】
また、以上の実施形態では、図２のステップＳ２、図６のステップＳ３２、Ｓ３３、図７のステップＳ４３、Ｓ４７、または図８のステップＳ５９、Ｓ６０のプリセット更新１次処理の自動実行間隔や、図７のステップＳ４５のプリセット更新情報Ｚｃ中のチャンネル数および図８のステップＳ５８の受信予備チャンネル数をそれぞれ比較する所定数として、具体的数値を例示しているが、本発明はそれらのみに限定するものではなく、それら以外の数値を採用してもよい。
【００７７】
さらに、以上の実施形態では、ＣＲＴ６を表示手段として備えたテレビジョン受像機１００、１０１に、本発明を適用した例を挙げているが、本発明はこれ以外にも、例えばＬＣＤ（Liquid Crystal Display）やＰＤＰ（Plasma Display Panel）等を表示手段として備えたパネル型テレビジョン受像機や、ビデオカセットレコーダ、ＤＶＤ（Digital Versatile Disk）レコーダ、ハードディスクレコーダ、またはこれらの複合装置等の映像機器に適用することができる。
【図面の簡単な説明】
【００７８】
【図１】本発明の実施形態に係るテレビジョン受像機のブロック図である。
【図２】プリセット情報を更新するメイン処理のフローチャートである。
【図３】プリセット更新１次処理のフローチャートである。
【図４】プリセット更新２次処理のフローチャートである。
【図５】受信チャンネル更新画像と受信映像の表示例を示す図である。
【図６】上記１次処理の自動実行間隔設定処理のフローチャートである。
【図７】他の上記１次処理の自動実行間隔設定処理のフローチャートである。
【図８】他の上記１次処理の自動実行間隔設定処理のフローチャートである。
【図９】他の実施形態に係るテレビジョン受像機のブロック図である。
【図１０】他の実施形態に係るメイン処理のフローチャートである。
【図１１】受信チャンネル更新問い合わせ画像の表示例を示す図である。
【符号の説明】
【００７９】
１  マイクロコンピュータ
２  チューナ
２ａ  第１チューナ
２ｂ  第２チューナ
６  ＣＲＴ
１３  メモリ      
１００  テレビジョン受像機
１０１  テレビジョン受像機
Ｅ  受信映像
Ｇ  受信チャンネル更新画像
Ｔ  受信チャンネル更新問い合わせ画像
Ｚａ  放送チャンネル情報
Ｚｂ  旧プリセット情報
Ｚｃ  プリセット更新情報
Ｚｄ  新プリセット情報
【図１】
2007043408.tif 000003
【図２】
2007043408.tif 000004
【図３】
2007043408.tif 000005
【図４】
2007043408.tif 000006
【図５】
2007043408.tif 000007
【図６】
2007043408.tif 000008
【図７】
2007043408.tif 000009
【図８】
2007043408.tif 000010
【図９】
2007043408.tif 000011
【図１０】
2007043408.tif 000012
【図１１】
2007043408.tif 000013